(57)【特許請求の範囲】
【請求項１】
鉄骨柱の柱脚部をコンクリート躯体に埋め込んで一体化させる鉄骨柱の建方方法であって、
前記コンクリート躯体の上面に穴を形成する工程と、
あと施工アンカーにより当該穴の周囲にアンカーボルトを設けて、当該アンカーボルトの周囲にレベルモルタルを打設する工程と、
前記鉄骨柱に軸方向に対して略直交する方向に延びてかつ開口が形成された仮固定部材を取り付ける工程と、を順不同で実行しておき、次に、
前記鉄骨柱の柱脚部を前記穴に挿入して、前記鉄骨柱に取り付けた仮固定部材を前記レベルモルタルに載せるとともに、当該仮固定部材の開口に前記アンカーボルトを挿通する工程と、
前記アンカーボルトの外径よりも僅かに大きい開口が形成されたプレートを用意し、当該プレートの開口に前記アンカーボルトを挿通して、当該プレートを前記仮固定部材に溶接して固定し、当該アンカーボルトにナットを締め付ける工程と、
前記穴に無収縮モルタルまたはコンクリートを打設する工程と、を実行することを特徴とする鉄骨柱の建方方法。
【発明の詳細な説明】
【技術分野】
【０００１】
本発明は、鉄骨柱の建方方法に関する。詳しくは、鉄骨柱の柱脚部をコンクリート躯体に埋め込んで一体化させる鉄骨柱の建方方法に関する。
【背景技術】
【０００２】
従来より、鉄骨柱の柱脚部をコンクリート躯体に埋め込んで一体化させた構造がある（特許文献１参照）。この場合、以下の手順で、鉄骨柱の建方を行う。すなわち、鉄骨柱の柱脚部を収容するための穴をコンクリート躯体に設ける。次に、穴の底面にレベルモルタルを打設し、この穴に鉄骨柱の柱脚部を挿入して、レベルモルタルの上に鉄骨柱の底面を載せる。その後、この穴にコンクリートを打設して、鉄骨柱をコンクリート躯体に一体化させる。
【０００３】
この建方方法によれば、穴の底面にレベルモルタルを打設したので、このレベルモルタルの上に鉄骨柱の側面を載せることで、鉄骨柱の高さを決定できる。
【先行技術文献】
【特許文献】
【０００４】
【特許文献１】特開平１０−１８３００号公報
【発明の概要】
【発明が解決しようとする課題】
【０００５】
しかしながら、上述の手法では、鉄骨柱の柱脚部を収容する穴が狭くて深い場合、レベルモルタルを精度良く打設できず、その結果、鉄骨柱の高さを精度良く管理することが難しくなっていた。
【０００６】
本発明は、鉄骨柱の柱脚部を収容する穴が狭くて深い場合でも、鉄骨柱の高さを容易にかつ精度良く管理できる鉄骨柱の建方方法を提供することを目的とする。
【課題を解決するための手段】
【０００７】
請求項１に記載の鉄骨柱の建方方法は、鉄骨柱（例えば、後述の鉄骨柱１１）の柱脚部をコンクリート躯体（例えば、後述の基礎２０）に埋め込んで一体化させる鉄骨柱の建方方法であって、前記コンクリート躯体の上面（例えば、後述の床面２１）に穴（例えば、後述の穴２２）を形成する工程と、当該穴の周囲にレベルモルタル（例えば、後述のレベルモルタル２４）を打設する工程と、前記鉄骨柱に軸方向に対して略直交する方向に延びる仮固定部材（例えば、後述の仮固定部材１２）を取り付ける工程と、を順不同で実行しておき、次に、前記鉄骨柱の柱脚部を前記穴に挿入して、前記鉄骨柱に取り付けた仮固定部材を前記レベルモルタルに載せる工程と、前記穴に無収縮モルタルまたはコンクリートを打設する工程と、を実行することを特徴とする。
【０００８】
この発明によれば、穴の周囲にレベルモルタルを打設し、このレベルモルタルに鉄骨柱に取り付けた仮固定部材を載せることで、鉄骨柱の高さを決定する。よって、鉄骨柱の柱脚部を収容する穴が狭くて深い場合でも、鉄骨柱の高さを容易にかつ精度良く管理できる。
【発明の効果】
【０００９】
本発明によれば、穴の周囲にレベルモルタルを打設し、このレベルモルタルに鉄骨柱に取り付けた仮固定部材を載せることで、鉄骨柱の高さを決定する。よって、鉄骨柱の柱脚部を収容する穴が狭くて深い場合でも、鉄骨柱の高さを容易にかつ精度良く管理できる。
【図面の簡単な説明】
【００１０】
【図１】本発明の一実施形態に係る鉄骨柱を有する柱部材の建方方法を示す斜視図である。
【図２】前記実施形態に係る柱部材の柱頭部および建入れ調整部材の拡大斜視図である。
【図３】前記実施形態に係る柱部材の柱脚部の納まりを示す拡大分解斜視図である。
【発明を実施するための形態】
【００１１】
以下、本発明の一実施形態について、図面を参照しながら説明する。
図１は、本発明の一実施形態に係る鉄骨柱１１を有する柱部材１０の建方方法を示す斜視図である。
本発明では、コンクリート躯体としての基礎２０の床面２１に穴２２を設けておき、この穴２２に柱部材１０の鉄骨柱１１の柱脚部を挿入する。次に、４つの建入れ調整部材３０を用いて鉄骨柱１１の建入れを調整して、鉄骨柱１１を基礎２０に仮固定する。その後、穴２２に無収縮モルタルを打設して、鉄骨柱１１を基礎２０に一体化させる。
【００１２】
図２は、柱部材１０の柱頭部および建入れ調整部材３０の拡大斜視図である。図３は、柱部材１０の柱脚部の納まりを示す拡大分解斜視図である。
柱部材１０は、略鉛直方向に延びる断面矩形状のボックス柱である鉄骨柱１１と、この鉄骨柱１１の柱脚部の下端から所定高さの位置の各側面に取り付けられた４つの仮固定部材１２と、を備える。
【００１３】
鉄骨柱１１の柱頭部の各側面には、ガセットプレート１３が設けられており、各ガセットプレート１３には、貫通孔が形成されている。
【００１４】
仮固定部材１２は、鉄骨柱１１の柱脚部の各側面に溶接固定されて略水平に延びる溝形鋼であり、鉄骨柱１１の各側面に略垂直につまり鉄骨柱１１の軸方向に略直交する方向に延びている。各仮固定部材１２の底面には、アンカーボルト２３のボルト径よりもかなり大きな開口１２１が形成されている。
【００１５】
建入れ調整部材３０は、それぞれ、棒状の本体３１と、この本体３１の上端側に螺合されて柱本体の柱頭部に連結される柱頭連結部材３２と、本体３１の下端側に螺合されて基礎２０の床面２１に固定される床面固定部材３３と、を備える。
柱頭連結部材３２は、シャックル３４を介して柱部材１０のガセットプレート１３に連結されている。
【００１６】
床面固定部材３３は、あと施工アンカー３５で基礎２０の床面２１に固定されている。
柱頭連結部材３２および床面固定部材３３は、互いに逆向きに螺合されている。よって、本体３１を回転させることで、柱頭連結部材３２と床面固定部材３３との間隔が変化して、建入れ調整部材３０が伸縮する。
【００１７】
次に、柱部材１０の建方方法について、説明する。
ステップ１では、図３に示すように、基礎２０を構築する。ここで、基礎２０のコンクリート打設時に箱抜きすることにより、基礎２０の床面２１に、柱部材１０の柱脚部を収容可能な箱状の穴２２を形成する。
【００１８】
ステップ２では、基礎２０の床面２１のうち仮固定部材１２の開口１２１に対応した４箇所に、あと施工アンカーとしてケミカルアンカーを打設して、上方に突出するアンカーボルト２３を設ける。
【００１９】
ステップ３では、４本のアンカーボルト２３の周囲に、上面が略水平なレベルモルタル２４を打設する。ここで、レベルモルタル２４の上に柱部材１０の仮固定部材１２を載せることにより柱部材１０の高さが決定されるため、レベルモルタル２４の上面の高さは高精度で施工しておく。
【００２０】
ステップ４では、柱部材１０をクレーンなどで吊り上げて、柱部材１０の鉄骨柱１１の柱脚部を床面２１の穴２２に挿入する。このとき、仮固定部材１２の開口１２１に４本のアンカーボルト２３を挿通するとともに、仮固定部材１２の底面をレベルモルタル２４の上に載せる。
【００２１】
各仮固定部材１２をレベルモルタル２４の上に載せることにより、柱部材１０の鉄骨柱１１の高さは決定されるが、仮固定部材１２の開口１２１はアンカーボルト２３の外径よりもかなり大きいため、鉄骨柱１１の倒れや水平方向の位置などの水平方向の建入れについては、ある程度調整可能となっている。
【００２２】
ステップ５では、４本の建入れ調整部材３０を柱部材１０の鉄骨柱１１の柱頭部に取り付けて、建入れ調整部材３０で鉄骨柱１１の柱頭部を支持し、その後、クレーンのワイヤーを取り外す。
次に、建入れ調整部材３０の本体３１を回転させて建入れ調整部材３０を伸縮させることで、鉄骨柱１１の水平方向の建入れを調整する。
【００２３】
ステップ６では、四角形状の角プレート２５を用意する。この角プレート２５には、アンカーボルト２３の外径よりも僅かに大きい円形の開口２５１が形成されている。
角プレート２５の開口２５１にアンカーボルト２３を挿通して、この角プレート２５を仮固定部材１２に溶接して固定する。次に、アンカーボルト２３にナット２６を螺合して、このナット２６を締付ける。これにより、柱部材１０が基礎２０に仮固定される。
【００２４】
ステップ７では、穴２２に無収縮モルタルを打設して、柱部材１０の鉄骨柱１１を基礎２０に一体化させる。
【００２５】
本実施形態によれば、以下のような効果がある。
（１）穴２２の周囲にレベルモルタル２４を打設し、このレベルモルタル２４に鉄骨柱１１に取り付けた仮固定部材１２を載せることで、鉄骨柱１１の高さを決定する。よって、鉄骨柱１１の柱脚部を収容する穴２２が狭くて深い場合でも、鉄骨柱１１の高さを容易にかつ精度良く管理できる。
【００２６】
なお、本発明は前記実施形態に限定されるものではなく、本発明の目的を達成できる範囲での変形、改良等は本発明に含まれるものである。
【符号の説明】
【００２７】
１０…柱部材
１１…鉄骨柱
１２…仮固定部材
１３…ガセットプレート
１４…レベルモルタル
２０…基礎（コンクリート躯体）
２１…床面
２２…穴
２３…アンカーボルト
２４…レベルモルタル
２５…角プレート
２６…ナット
３０…建入れ調整部材
３１…本体
３２…柱頭連結部材
３３…床面固定部材
３４…シャックル
３５…あと施工アンカー
１２１…仮固定部材の開口
２５１…角プレートの開口
【図１】
0005828572.tif 000002
【図２】
0005828572.tif 000003
【図３】
0005828572.tif 000004